(57)【要約】【課題】使用者の体型や好みに広く対応することのできる椅子を提供する。【解決手段】この椅子は、座面部１０の前端から前後方向長さの１／３の位置よりも後端側に穴１１が設けられ、穴１１が座面部１０の前端から前後方向長さの２／３の位置が含まれるように設けられるとともに、座面部１０の幅寸法の２／３以上の幅寸法を有し、複数のエアーセル７０が互いに略水平方向に並ぶように穴１１内に設けられ、座面部１０が木製であり、座面部１０の上面がＪＩＳ−Ａ硬度計で１５°以上となっていることから、着座者が着座すると座骨結節の近傍が各エアーセル７０によって軟らかく支持されるとともに、着座者の両大腿の近傍が座面部１０の前端側によって支持され、着座者の両大腿の位置が安定する。【選択図】図１
2011104213.tif 000002
【特許請求の範囲】
【請求項１】
着座者の臀部を下方から支持する座面部と、座面部を支持する脚と、座面部の後端側から上方に延びるように形成された背凭れ部とを備えた椅子において、
前記座面部の前端から前後方向長さの１／３の位置より後端側に設けられ、且つ、座面部の前端から前後方向長さの２／３の位置が含まれるように設けられ、座面部の幅寸法の２／３以上の幅寸法を有する穴と、
互いに略水平方向に並ぶように穴内に設けられた複数のエアーセルと、
各エアーセル内の空気量を調整可能な空気量調整手段とを備え、
座面部における穴の前側の上面をＪＩＳ−Ａ硬度計で１５°以上となるように形成した
ことを特徴とする椅子。
【請求項２】
前記複数のエアーセルを座面部幅方向の一方側に配置された複数のエアーセルから成る第１グループと座面部幅方向の他方側に配置された複数のエアーセルから成る第２グループとに分け、
前記空気量調整手段を、各エアーセル内の空気量をグループごとに調整可能に構成した
ことを特徴とする請求項１に記載の椅子。
【請求項３】
前記背凭れ部における座面部幅方向の略中央部に互いに上下方向に並ぶように
複数の背面支持エアーセルを設け、
前記空気量調整手段を、各背面支持エアーセル内の空気量を調整可能に構成した
ことを特徴とする請求項１または２の何れかに記載の椅子。
【請求項４】
前記各背面支持エアーセルの上下方向の位置を調整可能に構成した
ことを特徴とする請求項３に記載の椅子。
【請求項５】
前記背凭れ部に座面部幅方向一対の腰部支持エアーセルを設け、
前記空気量調整手段を、各腰部支持エアーセル内の空気量を調整可能に構成した
ことを特徴とする請求項１、２、３または４の何れかに記載の椅子。
【請求項６】
前記各腰部支持エアーセルの上下方向の位置を調整可能に構成した
ことを特徴とする請求項５に記載の椅子。
【発明の詳細な説明】
【技術分野】
【０００１】
本発明は、休憩、食事、仕事等の時に使用する椅子に関するものである。
【背景技術】
【０００２】
一般に、この種の椅子として、着座者の臀部を下方から支持する木製の座面部と、座面部を支持する複数の木製の脚と、座面部の後端側から上方に延びるように形成された木製の背凭れ部とを備え、座面部の上面を臀部の形状に沿わせて凹状に形成したものが知られている（例えば、特許文献１参照。）。
【先行技術文献】
【特許文献】
【０００３】
【特許文献１】特開２００８−１１９１８２号公報
【発明の概要】
【発明が解決しようとする課題】
【０００４】
ところで、椅子の使用者の体型は様々であり、体型に応じて臀部の圧力分布や姿勢の安定性が変化し、また、座り心地の良さは個人の好みによって異なる。
【０００５】
また、一般的に、図７の座面の圧力分布図に示されているように、座面部の上面が木製で硬い場合は主に座骨結節の近傍で体重が支えられ、姿勢の安定性が良好になるが、座骨結節の近傍に痛みを感じ易く、図８の座面の圧力分布図に示されているように、座面部の上面が軟らかいクッション等で構成されている場合は両大腿の下面に加わる圧力が高くなり、両大腿の下面に長時間に亘って圧力が加わると両大腿が鬱血して着座者が疲れを感じるという傾向がある。
【０００６】
即ち、前記椅子では、座面部の上面を臀部の形状に沿わせて凹状に形成して座り心地や臀部の圧力分布の改善を試みているが、使用者の体型や個人の好みに広く対応することはできず、一部の体型や好みの合う使用者だけが座り心地が良いと感ずるという問題点があった。
【０００７】
本発明は前記問題点に鑑みてなされたものであり、その目的とするところは、使用者の体型や好みに広く対応することのできる椅子を提供することにある。
【課題を解決するための手段】
【０００８】
本発明は前記目的を達成するために、着座者の臀部を下方から支持する座面部と、座面部を支持する脚と、座面部の後端側から上方に延びるように形成された背凭れ部とを備えた椅子において、前記座面部の前端から前後方向長さの１／３の位置より後端側に設けられ、且つ、座面部の前端から前後方向長さの２／３の位置が含まれるように設けられ、座面部の幅寸法の２／３以上の幅寸法を有する穴と、互いに略水平方向に並ぶように穴内に設けられた複数のエアーセルと、各エアーセル内の空気量を調整可能な空気量調整手段とを備え、座面部における穴の前側の上面をＪＩＳ−Ａ硬度計で１５°以上となるように形成している。
【０００９】
これにより、座面部の前端から前後方向長さの１／３の位置よりも後端側に穴が設けられ、穴が座面部の前端から前後方向長さの２／３の位置が含まれるように設けられるとともに、座面部の幅寸法の２／３以上の幅寸法を有し、複数のエアーセルが互いに略水平方向に並ぶように穴内に設けられ、座面部における穴の前側の上面がＪＩＳ−Ａ硬度計で１５°以上となるように形成されていることから、着座者が着座すると座骨結節の近傍が各エアーセルによって柔らかく支持されるとともに、着座者の両大腿の近傍が座面部の前端側によって支持され、着座者の両大腿の位置が安定する。また、各エアーセル内の空気量を調整可能であることから、例えば各エアーセル内の空気量を低減することにより、着座者の両大腿の下面に加わる圧力が上昇して着座者の姿勢が安定し、各エアーセル内の空気量を増加することにより、着座者の両大腿の下面に加わる圧力が低減する。
【発明の効果】
【００１０】
本発明によれば、着座者が着座すると座骨結節の近傍が各エアーセルによって柔らかく支持されることから、座骨結節の近傍に痛みを感じ難くなり、また、着座者の両大腿の位置が安定することから、着座者の姿勢を安定させることができ、さらに、各エアーセル内の空気量を調整することにより、着座者の姿勢の安定性や両大腿の下面に加わる圧力を調整することができるので、使用者の体型や好みに広く対応することができる。
【図面の簡単な説明】
【００１１】
【図１】本発明の一実施形態を示す椅子の平面図
【図２】図１におけるＡ−Ａ線断面図
【図３】椅子の側面図
【図４】椅子の要部側面断面図
【図５】椅子の要部側面断面図
【図６】本実施形態の変形例を示す椅子の要部側面断面図
【図７】座面の圧力分布図
【図８】座面の圧力分布図
【発明を実施するための形態】
【００１２】
本発明の一実施形態を図１乃至図５を参照しながら説明する。尚、以下の説明中の方向の説明は図１及び図２に示した方向に準ずる。また、座面部左右方向は座面部幅方向と一致している。
【００１３】
この椅子は、着座者の臀部を下方から支持する座面部１０と、座面部１０を支持する複数の木製の脚２０と、座面部１０の後端側から上方に延びるように形成された背凭れ部３０とを備えている。
【００１４】
座面部１０は略水平方向に延びる木製の板状部材から成り、その前端から前後方向長さＬの１／３の位置より後端側に穴１１が設けられている（図１参照）。穴１１は座面部１０を上下方向に貫通しており、座面部１０の前端から前後方向長さＬの２／３の位置が含まれるように設けられている（図１参照）。また、穴１１は座面部１０の幅寸法Ｗの２／３以上の幅寸法Ｗ１を有し、座面部１０の前後方向寸法の１／４以上の前後方向寸法Ｌ１を有する。穴１１の縁の上端側１１ａは曲面状に形成されている。
【００１５】
座面部１０の下方には略水平方向に延びる平板状に形成された木製の支持板４０が設けられ、支持板４０は各脚２０によって支持されている。また、支持板４０の上面と座面部１０の下面との間には所定の隙間が設けられている。
【００１６】
背凭れ部３０は、互いに座面部１０の幅方向に間隔をおいて設けられるとともにそれぞれ上下方向に延びるように設けられた複数の木製のフレーム３１と、該複数のフレーム３１によって支持されている上端部材３２と、座面部幅方向一対の肘掛け３３とを有する。各フレーム３１は円柱状に形成され、下端側が座面部１０及び支持板４０によって支持されている。また、各フレーム３１のうち座面部１０の幅方向の略中央に配置された２本は互いに座面部１０の幅方向に所定の間隔をおいて配置され、該２本のフレーム３１によって複数の背面支持エアーセル５０が支持されている。各背面支持エアーセル５０は互いに上下方向に並ぶように配置されるとともに、座面部１０の幅方向の略中央に配置されている。また、各フレーム３１のうち座面部１０の右方向に配置された２本のフレーム３１によって２つの腰部支持エアーセル６０のうちの一方が支持され、各フレーム３１のうち座面部１０の左方向に配置された２本のフレーム３１によって他方の腰部支持エアーセル６０が支持されている。上端部材３２は座面部１０の幅方向に延びる木製の円柱状部材から成る。
【００１７】
背面支持エアーセル５０は、一端に開口部を有し、内部に空気を封入可能に形成された空気袋５１と、空気袋５１の開口部を閉鎖するように設けられたベース部材５２とを有する。空気袋５１はゴムや可撓性を有するプラスチックから成る。ベース部材５２は座面部１０の前後方向に延びる円柱状に形成され、その軸方向中央部の外周面に全周に亘って凹状部５２ａを有する。この凹状部５２ａ内に前記２本のフレーム３１が嵌め込まれることにより、各背面支持エアーセル５０が前記２本のフレーム３１に支持されている。また、前記２本のフレーム３１はベース部材５２の凹状部５２ａ内に嵌め込まれているだけなので、各背面支持エアーセル５０の上下方向の位置を容易に変更することが可能である。また、各背面支持エアーセル５０の空気袋５１はベース部材５２から座面部１０の前方に延びるように設けられている。
【００１８】
腰部支持エアーセル６０は、一端に開口部を有し、内部に空気を封入可能に形成された空気袋６１と、空気袋６１の開口部を閉鎖するように設けられたベース部材６２とを有する。空気袋６１はゴムや可撓性を有するプラスチックから成る。ベース部材６２は座面部１０の幅方向の両側にそれぞれ凹状部６２ａを有し、この凹状部６２ａ内に前記２本のフレーム３１が嵌め込まれることにより、腰部支持エアーセル６０が前記２本のフレーム３１に支持されている。また、前記２本のフレーム３１はベース部材６２の凹状部６２ａ内に嵌め込まれているだけなので、各腰部支持エアーセル６０の上下方向の位置を容易に変更することができる。また、各腰部支持エアーセル６０の空気袋６１はベース部材６２から座面部１０の前方に延びるように設けられている。
【００１９】
また、座面部１０の穴１１内には互いに略水平方向に並ぶように複数のエアーセル７０が設けられている。各エアーセル７０はゴムや可撓性を有するプラスチックから成り、下端が開口するとともに内部に空気を封入可能な袋状に形成され、下端の開口部がそれぞれ平板状のベース部材７１によって閉鎖されるとともに支持されている。ベース部材７１は支持板４０によって支持され、ベース部材７１内には各エアーセル７０の内部に連通している空気通路７１ａが設けられている。また、支持板４０の下面には周知の電動エアーポンプや電磁弁を用いて構成された空気量調整装置８０が取付けられ、空気量調整装置８０と空気通路７１ａとが図示しない可撓性の管によって接続されている。即ち、空気量調整装置８０によって各エアーセル７０内の空気量が調整されるようになっている。
【００２０】
また、空気通路７１ａは図１に示す第１グループＧ１の各エアーセル７０内の空気量と第２グループＧ２の各エアーセル７０内の空気量を別々に調整できるように構成されている。第１グループＧ１の各エアーセル７０は全体的に座面部１０の右側に配置されており、第２グループＧ２の各エアーセル７０は全体的に座面部１０の左側に配置されている。さらに、空気量調整装置８０は図示しない可撓性の管によって各背面支持エアーセル５０及び各腰部支持エアーセル６０にも接続され、空気量調整装置８０によって各エアーセル５０，６０内の空気量がそれぞれ調整されるようになっている。また、各エアーセル７０はそれぞれベース部材７１の上面側から上方に向かって延びるように形成されるとともに、穴１１を下方から挿通している。また、各エアーセル７０の内部の相対気圧が外気圧に対して２ｋＰａとなり且つ無負荷の時に、各エアーセル７０の上端側が座面部１０の上面よりも上方に位置するように構成されている。
【００２１】
以上のように構成された椅子は、図５に示すように、各エアーセル７０内に空気が供給されると、各エアーセル７０が膨らみ、各エアーセル７０の上端が座面部１０の上面よりも上方に位置する。また、座面部１０の前端から前後方向長さＬの１／３の位置よりも後端側に穴１１が設けられ、穴１１が座面部１０の前端から前後方向長さＬの２／３の位置が含まれるように設けられるとともに、座面部１０の幅寸法Ｗの２／３以上の幅寸法Ｗ１を有し、複数のエアーセル７０が互いに略水平方向に並ぶように穴１１内に設けられ、座面部１０が木製であり、座面部１０の上面がＪＩＳ−Ａ硬度計で１５°以上となっていることから、着座者が着座すると座骨結節の近傍が各エアーセル７０によって軟らかく支持されるとともに、着座者の両大腿の近傍が座面部１０の前端側によって支持され、着座者の両大腿の位置が安定する。ここで、座面部１０の前端から前後方向長さＬの１／３の位置よりも後端側に穴１１を設け、穴１１が座面部１０の前端から前後方向長さＬの２／３の位置が含まれるように設けられ、座面部１０の幅寸法Ｗの２／３以上の幅寸法Ｗ１を持っていれば、座面部１０の大きさが多少異なる場合でも、大抵の使用者の座骨結節の近傍が穴１１内に配置される。出願人はこのことを経験から見出すことができた。尚、着座者が着座することにより、各エアーセル７０のうち一部または前部の上端が座面部の上面より下方に位置することがあるのは言うまでもない。
【００２２】
また、各エアーセル７０内の空気量を調整可能であることから、例えば各エアーセル７０内の空気量を低減することにより、着座者の両大腿の下面に加わる圧力が上昇して着座者の姿勢が安定し、各エアーセル７０内の空気量を増加することにより、着座者の両大腿の下面に加わる圧力が低減する。
【００２３】
このように、本実施形態によれば、着座者が着座すると座骨結節の近傍が各エアーセル７０によって軟らかく支持されることから、座骨結節の近傍に痛みを感じ難くなり、また、着座者の両大腿の位置が安定することから、着座者の姿勢を安定させることができ、さらに、各エアーセル７０内の空気量を調整することにより、着座者の姿勢の安定性や両大腿の下面に加わる圧力を調整することができるので、使用者の体型や好みに広く対応することができる。
【００２４】
また、各エアーセル７０が全体的に座面部１０の右側に配置された複数のエアーセル７０から成る第１グループＧ１と全体的に座面部１０の左側に配置された複数のエアーセル７０から成る第２グループＧ２とに分けられ、空気量調整装置８０によって各エアーセル７０内の空気量をグループごとに調整可能であることから、座骨結節の近傍に加わる圧力を左右交互に所定時間ごとに除去または低減することができ、長時間に亘って着座する場合の座り心地を向上する上で極めて有利である。
【００２５】
また、背凭れ部３０における座面部１０の幅方向の略中央部に互いに上下方向に並ぶように複数の背面支持エアーセル５０を設け、各背面支持エアーセル５０内の空気量を調整可能に構成したので、着座者の脊椎が各背面支持エアーセル５０によって後方から軟らかく支持される。ここで、脊椎の近傍は着座者の背面において圧力が高くなり易いので、着座者の脊椎を各背面支持エアーセル５０のよって軟らかく支持することにより、座り心地を向上することが可能となる。
【００２６】
また、各背面支持エアーセル５０はそれぞれ上下方向の位置を調整可能であり、各背面支持エアーセル５０内の空気量を調整可能であることから、着座者の体型や好みに合わせて各背面支持エアーセル５０の上下方向の位置を設定することができ、座り心地を向上する上で極めて有利である。
【００２７】
また、背凭れ部３０に座面部幅方向一対の腰部支持エアーセル６０を設け、各腰部支持エアーセル６０内の空気量を調整可能に構成したので、着座者の腰部が各腰部支持エアーセル６０によって後方から軟らかく支持され、各腰部支持エアーセル６０による腰部の支持状態を調整することができ、座り心地を向上することが可能となる。
【００２８】
また、各腰部支持エアーセル６０はそれぞれ上下方向の位置を調整可能であることから、着座者の体型や好みに合わせて各腰部支持エアーセル６０の上下方向の位置を設定することができ、座り心地を向上する上で極めて有利である。
【００２９】
尚、本実施形態では、木製の椅子に穴１１、各エアーセル７０、各背面支持エアーセル５０及び各腰部支持エアーセル６０を設けたものを示したが、金属、プラスチック、布、ゴム状弾性を有するクッション材、スポンジ状部材等を用いた事務机用椅子や食卓用椅子等に穴、穴内の複数のエアーセル、複数の背面支持エアーセル及び一対の腰部支持エアーセルを設けることも可能である。この場合でも、座面部の上面における穴の前側の大腿支持範囲（図１における斜線を施した範囲）がＪＩＳ−Ａ硬度で１５°以上であれば前述と同様の作用効果を達成可能である。
【００３０】
尚、本実施形態では、座面部１０を上下方向に貫通するように穴１１を設け、支持板４０によって各エアーセル７０及びベース部材７１を支持するものを示した。これに対し、図６に示すように、座面部１０の一部を下方に向かって凹状に形成することにより穴１１を形成し、ベース部材７１を穴１１の底面によって支持することも可能である。この場合でも前述と同様の作用効果を達成可能である。
【符号の説明】
【００３１】
１０…座面部、１１…穴、２０…脚、３０…背凭れ部、４０…支持板、５０…背面支持エアーセル、６０…腰部支持エアーセル、７０…エアーセル、７１…ベース部材、８０…空気量調整装置、Ｇ１…第１グループ、Ｇ２…第２グループ。
【図１】
2011104213.tif 000003
【図２】
2011104213.tif 000004
【図３】
2011104213.tif 000005
【図４】
2011104213.tif 000006
【図５】
2011104213.tif 000007
【図６】
2011104213.tif 000008
【図７】
2011104213.tif 000009
【図８】
2011104213.tif 000010